(57)【要約】【課題】  ポンチの後退戻り角量を少なくし、上刃の強度を増大した上吊りカム式のプレス加工装置を提供する。【解決手段】  上型２に上向急角度傾斜面の第１カム９ａと、この第１カム９ａと連続した上向緩角度傾斜面の第２カム９ｂとを備えたカムフォルダ８を固設し、このカムフォルダ８の両側に第１カム９ａと第２カム９ｂと同じ傾斜角度の第１案内穴１１ａ及び第２案内穴１１ｂを備えた左右一対のガイドプレート１０固定し、このガイドプレート１０間に第１カム９ａ及び第２カム９ｂに接触する第１カムフォロア１４と第１案内穴１１ａ及び第２案内穴１１ｂに挿入した第２カムフォロア１５とを備え第２カムフォロア１５によってガイドプレートを介して上型２にカムスライダ１２を吊り下げ、上型２の下死点においてカムスライダ１２を急傾斜角度で下方向に作動してポンチ１３の後退戻り角量を少なくした。【選択図】        図１
2005205430.tif 000002
【特許請求の範囲】
【請求項１】
固定の下型と、この下型に対して下降動及び上昇動する可動の上型とからなり、上型には前記下型に載置されたワークを曲げ成形又は切断するＵ字状の上刃と、前記曲げ成形された成形品の側面に前記上刃を貫通して穴開けするため上吊りカム機構と前記下型に設置されているカムドライバとによって進退可能なカムスライダにポンチとを備えたプレス加工装置において、前記上吊りカム機構に前記カムスライダを急傾斜角度と緩傾斜角度の２段階で上下方向に作動する手段を設け、上型の下死点において前記カムスライダを急傾斜角度で下方向に作動してポンチの後退戻り量を少なくしたことを特徴とするプレス加工装置。
【請求項２】
固定の下型と、この下型に対して下降動及び上昇動する可動の上型とからなり、上型には前記下型に載置されたワークを曲げ成形又は切断するＵ字状の上刃と、前記曲げ成形された成形品の側面に前記上刃を貫通して穴開けするため上吊りカム機構と前記下型に設置されているカムドライバとによって進退可能なカムスライダにポンチとを備えたプレス加工装置において、上型に上向急角度傾斜面の第１カムと、この第１カムと連続した上向緩角度傾斜面の第２カムとの２段傾斜カムを備えたカムフォルダを固設し、このカムフォルダの両側に前記１カムと第２カムと同じ傾斜角度の第１案内穴と、この第１案内穴と連続した第２案内穴を備えた左右一対のガイドプレート固定し、この左右のガイドプレート間に前記第１カム及び第２カムに接触する第１カムフォロアと前記第１案内穴及び第２案内穴に挿入した第２カムフォロアとを備え前記第２カムフォロアによって前記ガイドプレートを介して上型に吊り下げられた進退移動可能なカムスライダを設け、上型の下死点において前記カムスライダを前記第１カムと第１案内穴により急傾斜角度で下方向に作動してポンチの後退戻り角量を少なくしたことを特徴とするプレス加工装置。
【発明の詳細な説明】
【技術分野】
【０００１】
本発明は、カムドライバによってカムスライダを前進移動してカムスライダに設けられている工具により曲げ成形加工及び曲げ成形品の側面に穴開け加工する上吊りカム式のプレス加工装置に関するものである。
【背景技術】
【０００２】
従来一般的な上吊りカム式のプレス加工装置は図４及び図５で示す構造である。すなわち、下型１には後述するポンチ１３が挿入する穴４を有する下刃３と、この下刃３に向かって下向き傾斜面を備えたカムドライバ５とが設けられており、上型２には下型１上にワークを押さえるためのパッド６と、ワークを曲げ成形又は切断するＵ字状（ドーム形）の上刃１６と、前端にポンチ１３を備え前記上型２に吊り下げられたカムスライダ１２とを備えている。前記パッド６には下刃３の穴４と対応する穴７が開設されている。前記カムスライダ１２は上型２に固定されているカムホルダ２０に図５で示すようにスライドプレート２２、カムスライドプレート２３及びカムアッパプレート２４からなる上吊りカム機構２１による一定の傾斜角のスライド面で対接している。
【０００３】
このものは、上型２の下降によりカムスライダ１２がカムドライバ５に当接し、このカムドライバ５の傾斜面と上吊りカム機構２１とによってカムスライダ１５を前進移動して上刃１６を貫通するポンチ１３により曲げ成形品の側面に穴開け加工し、下死点より上型２が上昇してカムスライダ１５は後退移動してポンチ１３を後退戻りさせている。
【０００４】
この従来の上吊りカム式のプレス加工装置では、カムスライダ１２はカムホルダ２０に一定の傾斜角で対接しているため、１方向のみのスライド作動であり、しかも傾斜角度が緩やかであり、図４で示すようにポンチ１３の後退戻り角量Ｓｂが大きくなっている。従って、上刃１６の強度を増大するために、その厚味ｔ２を厚くした場合には、ポンチ１３の後退戻りした時にポンチ１３が上刃１６と干渉してポンチ１３又は上刃１６を破損あるいは損傷するので、これを避けることから上刃１６の厚味ｔ２を厚くすることができず、上刃１６の強度が不足しているという問題があった。
【特許文献１】特開２０００−６１７６４公報
【発明の開示】
【発明が解決しようとする課題】
【０００５】
本発明の目的は、ポンチの後退戻り角量を少なくし、上刃の強度を増大した上吊りカム式のプレス加工装置を提供することである。
【課題を解決するための手段】
【０００６】
上記の目的を達成するための本発明は、請求項１に記載の通り、固定の下型と、この下型に対して下降動及び上昇動する可動の上型とからなり、上型には前記下型に載置されたワークを曲げ成形又は切断するＵ字状の上刃と、前記曲げ成形された成形品の側面に前記上刃を貫通して穴開けするため上吊りカム機構と前記下型に設置されているカムドライバとによって進退可能なカムスライダにポンチとを備えたプレス加工装置において、前記上吊りカム機構に前記カムスライダを急傾斜角度と緩傾斜角度の２段階で上下方向に作動する手段を設け、上型の下死点において前記カムスライダを急傾斜角度で下方向に作動してポンチの後退戻り量を少なくしたことを特徴とするものである。
【０００７】
また、請求項２に記載の通り、固定の下型と、この下型に対して下降動及び上昇動する可動の上型とからなり、上型には前記下型に載置されたワークを曲げ成形又は切断するＵ字状の上刃と、前記曲げ成形された成形品の側面に前記上刃を貫通して穴開けするため上吊りカム機構と前記下型に設置されているカムドライバとによって進退可能なカムスライダにポンチとを備えたプレス加工装置において、上型に上向急角度傾斜面の第１カムと、この第１カムと連続した上向緩角度傾斜面の第２カムとの２段傾斜カムを備えたカムフォルダを固設し、このカムフォルダの両側に前記１カムと第２カムと同じ傾斜角度の第１案内穴と、この第１案内穴と連続した第２案内穴を備えた左右一対のガイドプレート固定し、この左右のガイドプレート間に前記第１カム及び第２カムに接触する第１カムフォロアと前記第１案内穴及び第２案内穴に挿入した第２カムフォロアとを備え前記第２カムフォロアによって前記ガイドプレートを介して上型に吊り下げられた進退移動可能なカムスライダを設け、上型の下死点において前記カムスライダを前記第１カムと第１案内穴により急傾斜角度で下方向に作動してポンチの後退戻り角量を少なくしたことを特徴とするものである。
【発明の効果】
【０００８】
本発明によると、カムドライバを急傾斜角度と緩傾斜角度の２段階で上下方向に作動する２方向の作動を行わせ、上型の下死点においてカムドライバを急傾斜角度の作動によりポンチの後退戻り角量を少なくし、このポンチの後退戻り角量を少なくしたことにより上刃の厚味を厚くしてもポンチが上刃との干渉を回避することが可能なり、上刃の厚味を厚くして強度の増大を図ることができる効果を有している。
【発明を実施するための最良の形態】
【０００９】
以下本発明を実施するための最良の形態について図面に基づいて説明する。図１において、１は固定の下型であり、２は前記下型１に対して下降及び上昇する上型である。前記下型１にはワークＷの端縁を直角下向きに折り曲げ成形あるいは切断するためのＵ字状（ドーム形）下刃３が取り付けられており、この下刃３には後述するポンチ１３によって曲げ成型品の側面に穴開けするための穴４が設けられている。また、この下刃３に向かって下向き傾斜面を備えたカムドライバ５が設けられている。
【００１０】
一方、前記上型２には下型１上にワークを押さえるためのパッド６と、ワークを切断又は曲げ成形するＵ字状（ドーム形）の上刃１６と、前端にポンチ１３を備え前記上型２に吊り下げられたカムスライダ１２とを備えている。
【００１１】
一方、前記上型２には下型２上にワークを押さえるためのパッド６と、ワークを切断又は曲げ成形するＵ字状（ドーム形）の上刃１６と、前端にポンチ１３を備え前記上型２に吊り下げられたカムスライダ１２とを備えている。前記パッド６には下刃３の穴４と対応する穴７が開設されている。
【００１２】
本発明はカムスライダ１２を上型２に吊り下げるための上吊りカム機構に特徴を有しているものである。以下その構造の詳細について説明する。上型２に固設されているカムホルダ８に上向急角度傾斜面の第１カム９ａと、この第１カム９ａと連続した上向緩角度傾斜面の第２カム９ｂとの２段傾斜カムを備えている。
【００１３】
前記このカムフォルダ８の両側には図２で示すように左右一対のガイドプレート１０が固定されている。このガイドプレート１０には前記１カム９ａと第２カム９ｂと同じ傾斜角度の第１案内穴１１ａと、この第１案内穴１１ａと連続した第２案内穴１１ｂを備えており、この左右のガイドプレート１０間に前記第１カム９ａ及び第２カム９ｂに接触する第１カムフォロア１４と前記第１案内穴１１ａ及び第２案内穴１１ｂに挿入した第２カムフォロア１５とを備えたカムスライダ１２が前記第２カムフォロア１５によってカムドライバ５の直上に前記ガイドプレート１０を介して上型２に進退移動可能吊り下げられた構造である。このカムスライダ１２の下面は前記カムドライバ５の傾斜面と同じ角度の傾斜面が形成されている。
【００１４】
次ぎに、上記構造よりなる本発明の動作について説明する。図示省略している上型２の上死点ではカムスライダ１２は、その自重によつて下方向に下がっており、第１カムフォロア１４はカムフォルダ８の上向緩角度傾斜面の第２カム９ｂに接触し、第２カムフォロア１５はガイドプレート１０の第２案内穴１１ｂに位置している。
【００１５】
下型１上にセットしたワークの端縁を曲げ成形又切断するために上型２が下降し、パッド６で下型１上に押さえられたワークの端縁を上刃１３によっ直角下向きに折り曲げ成形あるいは切断する。
【００１６】
その後、カムスライダ１２がカムドライバ５の傾斜面に当接しカムスライダ１２の下降が規制され下死点に向かって下降する上型２と相対移動する。この上型２の下死点に向かう下降動により、先ず第１カムフォロア１４はカムフォルダ８の上向緩角度傾斜面の第２カム９ｂに沿う大きなストロークでカムスライダ１２をカムドライバ５の傾斜面により下刃３の穴４に向かって傾斜角度で前進移動する。この時第２カムフォロア１５は第２案内穴１１ｂに沿って案内される。
【００１７】
上型２の下死点直前でカムスライダ１２は前進端に作動し、ポンチ１３は上刃１６を貫通し、かつパッド６の穴７を貫通して下刃３の穴４とにより折り曲げ成形したワークの側面に穴開け加工を施す。
【００１８】
前記ポンチ１３により折り曲げ成形したワークの側面に穴開け加工後に上型２は図３で示す下死点に至り、これより図１で示す上昇動作となる。本発明は、この上型２の下死点においてポンチ１３の後退戻り角量を少なくする格別な動作を行うのである。
【００１９】
すなわち、カムスライダ１２が前進端に作動する直前から第１カムフォロア１４はカムフォルダ８の上向緩角度傾斜面の第２カム９ｂから上向急角度傾斜面の第１カム９ａに移動して上向急角度傾斜面の第１カム９ａよる小さなストロークでカムスライダ１２は前進端に作動して上型２が下死点に至る。この時第２カムフォロア１５は第１案内穴１１ａに沿って案内される。つまり、カムスライダ１２は後退端から前進端の移動はカムフォルダ８の上向緩角度傾斜面の第２カム９ｂと上向急角度傾斜面の第１カム９ａとによる大小ストロークで２方向に作動するのである。
【００２０】
このカムスライダ１２が後退端から前進端の移動をカムフォルダ８の上向緩角度傾斜面の第２カム９ｂと上向急角度傾斜面の第１カム９ａとによる大小ストロークで２方向に作動するということは、上型２が下死点から上昇するときにはカムスライダ１２は前記後退端から前進端の移動時の逆の動作を行うということである。
【００２１】
そこで、上型２が図４で示す下死点から図１で示す上昇に移った時にはポンチ１３は図３の実線から点線で示す少ない後退戻り角量Ｓａとなるのである。従って、上刃１６の厚味ｔ１をしてもポンチ１３の後退戻り時に干渉することがなくなるため、上刃１６の厚味ｔ１を厚くすることができ、上刃１６の強度を増大して加工ができる利点を有しているのである。
【図面の簡単な説明】
【００２２】
【図１】本発明装置の上型の上昇途中の状態を示す断面図
【図２】図１のＡ−Ａ線断面図
【図３】本発明装置の上型の下死点の状態を示す断面図
【図４】従来一般的な上吊りカム式のプレス加工装置の断面図
【図５】図４のＢ−Ｂ線断面図
【符号の説明】
【００２３】
１    下型
２    上型
３    下刃
４    穴
５    カムドライバ
６    パッド
７    穴
８    ムフォルダ
９ａ  第１カム
９ｂ  第２カム
１０    ガイドプレート
１１ａ  第１案内穴
１１ｂ  第２案内穴
１２    カムスライダ
１３    ポンチ
１４    第１カムフォロア
１５    第２カムフォロア
１６    上刃
【図１】
2005205430.tif 000003
【図２】
2005205430.tif 000004
【図３】
2005205430.tif 000005
【図４】
2005205430.tif 000006
【図５】
2005205430.tif 000007